(57)【要約】  本発明は折りたたみ式つば付き帽子に関し、より詳しくは、つばを上部に折りたたむように形成するが、つばを上部に折りたたんだときにも着用者の頭を締める押圧感が少なくて楽な着用感が維持され、裁縫を便利にして帽子の生産性を向上させた折りたたみ式つば付き帽子に関する。【選択図】図１
2018507331.tif 000002
【特許請求の範囲】
【請求項１】
クラウンの前方に上端に折りたたまれるつばが付いている一般的な折りたたみ式つば付き帽子において、
前記つばは横切って切開される一つの切開部が形成される折曲板材が形成され、前記折曲板材の表面を包んでクラウンと連結裁縫される外皮で構成されるが、
前記折曲板材は平面視で前方に膨らんで形成され、切開部を中心に前・後方に傾斜しながら厚さが薄くなる傾斜部が互いに対応するように形成され、前記切開部と離隔するように厚さが厚い芯材が一体に形成されることを特徴とする折りたたみ式つば付き帽子。
【請求項２】
クラウンの前方に上端に折りたたまれるつばが付いている一般的な折りたたみ式つば付き帽子において、
前記つばは少なくとも一つの折曲線が形成される折曲板材が形成され、前記折曲板材の表面を包んでクラウンと連結される外皮で構成されるが、
前記折曲板材は前方から見ると上端に膨らんで形成され、前記折曲線を中心に前・後方に傾斜しながら厚さが薄くなる折曲傾斜部が互いに対応するように形成され、前記折曲線の後方には厚さが厚い芯材部分が形成され、前記芯材部分の後方の先端には厚さが薄くなる後方傾斜部が形成されることを特徴とする折りたたみ式つば付き帽子。
【請求項３】
前記外皮が裁縫されるとき、折曲板材を芯材または芯材部分の周縁部に沿って裁縫することを特徴とする請求項１または請求項２に記載の折りたたみ式つば付き帽子。
【請求項４】
前記折曲板材の切開部は、互いに連結される多数個の連結部が形成されることを特徴とする請求項１に記載の折りたたみ式つば付き帽子。
【請求項５】
前記折曲板材は、合成樹脂材で射出方法によって生産されることを特徴とする請求項１または請求項２に記載の折りたたみ式つば付き帽子。
【発明の詳細な説明】
【技術分野】
【０００１】
本発明は折りたたみ式つば付き帽子に関し、より詳しくは、つばを上部に折りたたむことができるように形成するが、つばを上部に折りたたむときにも、着用者の頭を締める押圧感が少なくて楽な着用感が維持され、裁縫を便利にして帽子の生産性を向上させた折りたたみ式つば付き帽子に関する。
【背景技術】
【０００２】
帽子は紫外線を遮断するか、保温のために頭にかぶるように形成されたものであって、頭を包むクラウンを中心に四方または前方につばが形成されるか、つばなしに形成されるなど、様々な種類が提供されている。
【０００３】
最近は、帽子を単に機能性のためにかぶるのではなく、自分の個性を表すための手段としてかぶるなど、多様に活用されている。
【０００４】
従来のつば付き帽子（ｃａｐ）は風が吹くとつばの下から上に押し上げる力のため帽子が容易に脱がされるか、顔から発生する熱気がつばの下に集まって額の部分が暑くなるなどの問題があった。
【０００５】
このような問題を克服するために、帽子のつばに通風口を形成するか、通風口を塞ぐために二重つばを形成するなどの技術が開発されている。
【０００６】
前記従来の二重つば付き帽子に関する技術は、特許文献１及び２に開示されている。
【０００７】
最近は、つば付き帽子をより格好良く着用するためにつばを上部に折りたたんで着用したり、つばの下部に文字やロゴを刻み、それを上部に無理に折りたたんで文字やロゴが前方に表されるようにして着用することもある。
【０００８】
本願の発明者は、つばをより容易に折りたたむことができる機能性帽子を開発し、これを２０１１年１１月２９日付に韓国特許庁に特許出願しており、これを２０１３年１１月２５日付に特許登録番号第１３３４９３１号として登録し開示されている。
【０００９】
従来の機能性帽子は、つばは内部に少なくとも２つの切開部が形成された折曲板材が形成され、前記折曲板材の後方の下端に芯材が形成され、外部表面は布で包んで形成されていたが、前記芯材は合成樹脂材を発泡して厚く形成され、折曲板材の厚さに比べ少なくとも２倍に厚く形成されていた。
【先行技術文献】
【特許文献】
【００１０】
【特許文献１】韓国特許庁登録実用新案公報  第２３４２４０号
【特許文献２】韓国特許庁登録実用新案公報  第０４５７０２５号
【発明の概要】
【発明が解決しようとする課題】
【００１１】
しかし、従来の機能性帽子には以下のような問題があった。
【００１２】
（１）機能性帽子のつばの内部に含まれる折曲板材を外皮で包んで裁縫するとき、切開部の部分を裁縫するため、切開部のない部分（両側面）が破損し、継続的な使用によってこの部分が完全に切断されてしまって、切開部の前方部分が下に垂れる現象が発生する。
【００１３】
（２）機能性帽子のつばを上部に折りたたむとき、折曲板材が形態をそのまま維持しようとする弾性のため、着用者の額に全般的に押圧を加えるようになり、額に跡が残るだけでなく、押圧のため長時間着用することができない。
【００１４】
（３）折曲板材の厚さが厚くて切開部の部分が破損しやすく、そのため騒音が発生するか上端に折りたたむ作動が難しくなる。
【００１５】
（４）折曲板材の両先端が顔のこめかみ部分を押圧し、着用時に頭痛を誘発するなど、着用感が劣る。
【００１６】
（５）帽子を生産するとき、縫製のためのいかなるガイドもなく、生産性が落ちる。
【課題を解決するための手段】
【００１７】
上述した問題点を解決するために、本発明は、クラウンの前方に上端に折りたたまれるつばが付いている一般的な折りたたみ式つば付き帽子において、
前記つばは横切って切開される一つの切開部が形成される折曲板材が形成され、前記折曲板材の表面を包んでクラウンと連結裁縫される外皮で構成されるが、
前記折曲板材は平面視で前方に膨らんで形成され、切開部を中心に前・後方に傾斜しながら厚さが薄くなる傾斜部が互いに対応するように形成され、前記切開部と離隔するように厚さが厚くなる芯材が一体に形成されることを特徴とする。
【００１８】
また、本発明の他の構成で、前記折曲板材は前方から見ると上端に膨らんで形成され、前記折曲線を中心に前・後方に傾斜しながら厚さが薄くなる折曲傾斜部が互いに対応するように形成され、前記折曲線の後方には厚さが厚い芯材部分が形成され、前記折曲板材の後方の先端には厚さが薄くなる後方傾斜部が形成されることを特徴とする。
【００１９】
また、本発明のまた他の構成で形成された折曲板材は合成樹脂材で形成され、金型によって一度に射出されるため大量生産が可能であり、外皮を包んで裁縫した後、クラウンと連結して形成する。
【００２０】
本発明の折曲板材を外皮で包んで裁縫するとき、芯材または芯材部分の周縁部に沿って裁縫する。
【発明の効果】
【００２１】
本発明の折りたたみ式つば付き帽子によると、以下のような効果が発生する。
【００２２】
（１）折曲板材に外皮を包みながら裁縫するとき、切開部を直接裁縫せず、折曲板材の切開部分の両先端が切断されないため、切開部の前方部分を上端に折りたたんでいない状態でも下に垂れなくなる。
【００２３】
（２）つばを上部に折りたたむときも、折曲板材の切開部の部分に形成された傾斜部で厚さが徐々に薄くなるため、額の中央から両側に加えられる押圧が少なくなって額に跡が残らなくなり、芯材部分の後方に形成される後方傾斜部が額を押圧する圧力が軽減されるため、楽に着用することができる。
【００２４】
（３）折曲板材の切開部の部分に傾斜部によって互いに摩擦が発生したいため破損が発生せず、つばを上端に折りたたむときにも騒音が発生しない。
【００２５】
（４）上端に膨らんで形成されるつばは、上端に折りたたむと折曲板材とクラウンが当たる両側面が着用者のこめかみを押圧するようになるが、この部分に側面傾斜部が形成されており、押圧する圧力をへらすことができるため、より楽に着用することができる。
【００２６】
（５）ガイドラインまたは芯材部分の周縁部に凸部になっている部分に沿って容易に縫製することができるため、生産性が上がる。
【図面の簡単な説明】
【００２７】
【図１】本発明の好ましい実施例によって形成された折りたたみ式つば付き帽子の斜視図である。
【図２】本発明の好ましい実施例によって形成された折りたたみ式つば付き帽子の折曲板材を示す斜視図である。
【図３】本発明の好ましい実施例によって形成された折りたたみ式つば付き帽子の折曲板材をひっくり返した状態図である。
【図４】本発明の好ましい実施例によって形成された折りたたみ式つば付き帽子の使用状態図である。
【図５】本発明の他の実施例によって形成された折りたたみ式つば付き帽子の斜視図である。
【図６】本発明の他の実施例によって形成された折りたたみ式つば付き帽子の折曲板材を示す斜視図である。
【図７】本発明の他の実施例によって形成された折りたたみ式つば付き帽子の折曲板材をひっくり返した状態図である。
【図８】本発明の他の実施例によって形成された折りたたみ式つば付き帽子の使用状態図である。
【図９】本発明の好ましい実施例によって形成された折りたたみ式つば付き帽子のＡ−Ａ断面図である。
【図１０】本発明の他の実施例によって形成された折りたたみ式つば付き帽子のＢ−Ｂ断面図である。
【発明を実施するための形態】
【００２８】
本発明は、クラウン１０の前方に上端に折りたたまれるつば２０が形成される一般的な折りたたみ式つば付き帽子１において、
前記つば２０は横切って切開される一つの切開部１１０が形成される折曲板材１００が形成され、前記折曲板材１００の表面を包んでクラウンと１０連結裁縫される外皮で構成されるが、
前記折曲板材１００は平面視で前方に膨らんで形成され、切開部１１０を中心に前・後方に傾斜しながら厚さが薄くなる傾斜部が互いに対応するように形成され、前記切開部１１０と離隔するように厚さが厚い芯材１２０が形成される。
【００２９】
前記クラウン１０は、着用者の額から頭部分を包むように上端に膨らんで形成され、後方には長さを調節し得る長さ調節部が形成される。
【００３０】
前記つば２０は平らに形成された平つばであって、クラウン１０の前方に曲面に接して裁縫されるように平面視で後方が前方に窪んで切断されるが、前方は前方に膨らんで突出される。
【００３１】
前記つば２０は内部に前記折曲板材１００が形成され、外皮が表面を包みながら後方にクラウン１０の前方に共に裁縫される。
【００３２】
前記前記折曲板材１００は合成樹脂材で射出されて形成され、横切って切開部１１０が形成されるが、前記切開部１１０は０．５〜２ｍｍぐらい完全に切開され、両側面ではつば２０を完全に切開せずに互いに連結する。
【００３３】
前記切開部１１０には、少なくとも一つの連なる連結部１１５が形成される。
前記前記折曲板材１００の切開部１１０は、切開部１１０を中心に前・後方に上面と下面または下面に傾斜しながら厚さが薄くなる傾斜部１１１、１１２が互いに対応するように形成される。
【００３４】
前記切開部１１１、１１１２は、傾斜する部分の長さが互いに異なるように形成される。
【００３５】
前記切開部１１０の傾斜部１１１、１１２はつばを折って持ち上げるときに前方と方向が当たる折曲板材１００の部分であって、この部分でつばが元の状態に戻ろうとする復元力が発生しないようにするための部分である。
【００３６】
前記傾斜部１１１、１１２の前方の傾斜部１１１一方のみ形成されてもよい。
【００３７】
前記折曲板材１００の後方の下端、つまり、切開部１１０と離隔された後方の下端には一定厚さの芯材１２０が形成されるが、前記芯材１２０は折曲板材１００の厚さと同じであるか少し厚く形成される板材で折曲板材１００の方向の下端に接着されるか、射出で一体に形成される。
【００３８】
この際、芯材１２０は折曲板材１００の周縁部より面積が小さく形成されるが、前記折曲板材１００の周縁部は外皮を包んで裁縫するときにガイドの役割をし、ガイドライン１１８に沿って容易に裁縫し得るため、生産性を上げることができる。
【００３９】
前記外皮は折曲板材１００を包んで裁縫し、つば２０の後方をクラウン１０の前方と連結裁縫する。
【００４０】
前記つば２０の上下端には横切って裁縫線１３０が形成されるが、前記裁縫線１３０は芯材１２０の周縁部に沿って形成されるガイドライン１１８に沿って裁縫された裁縫線である。
【００４１】
また、本発明の他の実施例として、折曲板材３００は前方から見ると上端に膨らんで形成され、後方の先端から前方に離隔されて切開部１１０が形成されるが、
前記前記折曲板材３００に折曲線３１０が形成され、前記折曲線１１０を中心に傾斜しながら厚さが薄くなる折曲傾斜部３１１、３１２が互いに対応するように形成され、前記折曲線３１０の後方には厚さが厚い芯材部分３２０が形成され、前記芯材部分３２０の後方の先端には厚さが薄くなる後方傾斜部３１５が形成される。
【００４２】
前記折曲板材３００は前方から見ると上端に膨らんで形成され、前記折曲板材３００の後方はクラウン１０の前方と連結されるように、平面視で前方に窪むように凹んで形成され、折曲板材３００の前方は前方に膨らむように突出して形成される。
【００４３】
前記折曲板材３００の上面と下面または下面には、折曲線３１０を中心に前・後方に厚さが薄くなる折曲傾斜部３１１、３１２がそれぞれ対応するように形成されるが、前記折曲傾斜部３１１，３１２のうち前方の折曲傾斜部３１１のみ形成されてもよい。
【００４４】
前記折曲線３１０は完全に切開されず、厚さが薄く形成されて両先端まで続けられる。
【００４５】
前記折曲板材３００の下面に折曲線３１０の後方に離隔するように芯材部分３２０が形成されるが、折曲板材３００と一体に射出される。
【００４６】
前記芯材部分３２０は全体的に折曲板材３００の下端に突出して形成されるが、前方は折曲線３１０と離隔するように形成され、後方は折曲板材３００の後方の先端と離隔するように形成され、両側面は折曲板材３００の両側面と離隔するように形成される。
【００４７】
前記折曲板材３００の後方の下端に形成された芯材部分３２０は、平面視で中央から両側に行くほど広くなるように形成され、広くなる部分は両側先端に行くほど厚さが薄くなるように形成される。
【００４８】
前記折曲板材３００の後方の先端には後方傾斜部３１５が形成されるが、前記後方傾斜部３１５によって着用者の額に跡が発生しなくなる。
【００４９】
前記折曲板材３００は外皮によって包まれるが、芯材部分３２０の周縁部に沿って折曲裁縫線３３０を形成する。
【００５０】
前記折曲板材１００、３００は合成樹脂材で形成されるが、金型によって芯材１２０または芯材部分３２０が全て一体に射出されるため大量に生産され、外皮に包まれてクラウン１０と連結裁縫される。
【００５１】
以下、本発明の好ましい実施例によって形成された折りたたみ式つば付き帽子の作動、着用方法及び効果を説明すると以下のようである。
【００５２】
本発明の折りたたみ式つば付き帽子を生産するためには折曲板材１００、３００を生産するが、前記折曲板材１００、３００は金型を製作し、合成樹脂材を射出する方法で生産する。
【００５３】
従来は折曲板材を生産するために板材形状の合成樹脂材を切断してそのまま使用していたが、こうすると心材に更に取り付けなくてはならず、形状を上端に膨らむように形成するために別途の作用をせざるを得なかったため、作業の効率が落ちるだけでなく、作業性が悪く生産性が落ちる問題があった。
【００５４】
本発明の折曲板材１００、３００を生産するとき、平つばに使用される折曲板材１００は従来の方法を使用しても構わないが、上端に膨らんだ形態のつば２０に使用される折曲板材３００は射出方法で生産した方がずいぶん生産性がよくなる。
【００５５】
平つばに使用される折曲板材１００は切開部１１０の部分を完全に切開して形成するが、傾斜しながら厚さが薄くなる傾斜部１１１、１１２が形成される。
前記傾斜部１１１、１１２によって、折曲板材１００の前方が切開部１１０を中心に上端に折りたたまれるときに当たる部分が折れないように当たることができるため、非常に滑らかに上端に折りたたまれる。
【００５６】
前記芯材部分３２０の後方傾斜部３１５は額に当たる部分が額の曲面に広い部分で当たるようにするため着用感がよく、上端に折りたたむときの押圧を最小化する。
【００５７】
このような形状を併せ持った折曲板材３００は金型によって一度に射出されて形成される。
【００５８】
前記クラウン１０部分を形成した後、折曲板材１００、３００をそれぞれ別途に外皮２００で包んで形成するが、前記外皮２００で折曲板材１００、３００を包みながら裁縫するときは周縁部に沿って裁縫する。
【００５９】
この際、ガイドライン１１８または芯材部分３２０の周縁部に沿って裁縫線１３０、３３０を形成する。
【００６０】
前記のように裁縫すると、ガイドライン１１８または芯材部分３２０が凸部のように軽視されているため、針が滑ることなく容易に裁縫することができる。
前記裁縫線１３０、３３０は、切開部１１０の方向と芯材１２０または芯材部分３２０が始まる部分のすぐ前に形成されるように裁縫する。
【００６１】
図４と図８は本発明の好ましい実施例及び他の実施例によって形成された折りたたみ式つば付き帽子の使用状態図であって、それぞれつば２０を前方に広げてから上端に折りたたむときの状態を示す図である。
【００６２】
この際、切開部１１０または折曲線３１０の部分で非常に滑らかに折りたたまれるため、頻繁に使用しても破損せず長らく使用することができる。
【００６３】
本発明の折りたたみ式つば付き帽子によると、折曲板材に外皮を包みながら裁縫するとき、切開部に直接裁縫せず折曲板材の切開部の部分の両先端が切断されないため、切開部の前方部分が上端に折りたたまれていない状態でも下に垂れず、つばを上部に折りたたむときにも折曲板材の切開部の部分に形成された傾斜部で厚さが徐々に薄くなるため額の中央から両側に加えられる押圧が少なくなって額に跡が残らず、芯材部分の後方に形成される後方傾斜部が額を押圧する圧力が軽減するため楽に着用することができ、折曲板材の切開部の部分に傾斜部によって互いに摩擦が発生しないため破損が発生せず、つばを上端に折りたたむときにも騒音が発生せず、上端に膨らんで形成されるつばは上端に折りたたむと折曲板材のクラウンに当たる両側面が着用者のこめかみを押圧するようになるが、この部分に側面傾斜部が形成されていて押圧する圧力を減らすことができるため更に楽に着用することができ、ガイドラインまたは芯材部分の周縁部に凸部になっている部分に沿って容易に縫製することができるため生産性が上がるなどの効果が発生する。
【００６４】
本発明は添付した図面を参照して好ましい実施例を中心に記述されたが、当業者であればこのようは記載から後述する特許請求の範囲によって包括される本発明の範疇を逸脱することなく多様な変形が可能であることは明らかである。
【図１】
2018507331.tif 000003
【図２】
2018507331.tif 000004
【図３】
2018507331.tif 000005
【図４】
2018507331.tif 000006
【図５】
2018507331.tif 000007
【図６】
2018507331.tif 000008
【図７】
2018507331.tif 000009
【図８】
2018507331.tif 000010
【図９】
2018507331.tif 000011
【図１０】
2018507331.tif 000012
【国際調査報告】
2018507331.tif 000013
2018507331.tif 000014
2018507331.tif 000015
2018507331.tif 000016